(57)【要約】  マルチコネクティビティアーキテクチャを有するワイヤレスネットワーク内でドライブテストの最小化を構成するための方法、装置およびシステムが開示されている。一実施形態において、第１のワイヤレス通信ノードによって実行される方法が開示される。上記方法は、ドライブテストの最小化（ＭＤＴ）測定についての構成情報を第２のワイヤレス通信ノードに送信するステップと、ＭＤＴ測定についての構成情報に応答してフィードバックを第２のワイヤレス通信ノードから受信するステップとを備える。第１のワイヤレス通信ノードも第２のワイヤレス通信ノードも、ワイヤレスネットワーク内のノードである。
2021519010.tif 000002
【特許請求の範囲】
【請求項１】
第１のワイヤレス通信ノードによって実行される方法であって、
ドライブテストの最小化（ＭＤＴ）測定についての構成情報を第２のワイヤレス通信ノードに送信するステップを備え、前記第１のワイヤレス通信ノードも前記第２のワイヤレス通信ノードも、ワイヤレスネットワーク内のノードであり、前記方法はさらに、
前記ＭＤＴ測定についての前記構成情報に応答してフィードバックを前記第２のワイヤレス通信ノードから受信するステップを備える、方法。
【請求項２】
前記フィードバックは、前記ＭＤＴ測定についての前記構成情報の確認を備え、
前記方法はさらに、前記ワイヤレスネットワーク内のワイヤレス通信デバイスを介して前記構成情報に基づいて前記ＭＤＴ測定を実行するステップを備える、請求項１に記載の方法。
【請求項３】
前記ＭＤＴ測定は、前記ワイヤレスネットワーク内のワイヤレス通信デバイスによって実行され、
前記フィードバックは、前記第２のワイヤレス通信ノードが、前記ＭＤＴ測定と同一の既存のＭＤＴ測定を前記ワイヤレス通信デバイス上でトリガしたことを示すコンフリクト表示を備え、
前記方法はさらに、前記第１のワイヤレス通信ノードにおいて前記ＭＤＴ測定を停止させるステップを備える、請求項１に記載の方法。
【請求項４】
前記ＭＤＴ測定は、前記第１のワイヤレス通信ノードによって実行される第１の部分と、前記第２のワイヤレス通信ノードによって実行される第２の部分と、前記ワイヤレスネットワーク内のワイヤレス通信デバイスによって実行される第３の部分とを備え、
前記方法はさらに、
前記ＭＤＴ測定の前記第１の部分を実行して、第１の測定結果を生成するステップと、
前記第１の測定結果を前記ワイヤレスネットワークのトレース収集エンティティに報告するステップとを備える、請求項１に記載の方法。
【請求項５】
前記第２のワイヤレス通信ノードは、前記ＭＤＴ測定の前記第２の部分を実行して、第２の測定結果を生成し、
前記方法はさらに、
前記第２の測定結果を前記第２のワイヤレス通信ノードから受信するステップと、
前記第２の測定結果を前記ワイヤレスネットワークのトレース収集エンティティに報告するステップとを備える、請求項４に記載の方法。
【請求項６】
前記ワイヤレスネットワーク内のワイヤレス通信デバイス上で実行される第２のＭＤＴ測定についての第２の構成情報を前記第２のワイヤレス通信ノードから受信するステップをさらに備え、前記ＭＤＴ測定は、前記第２のＭＤＴ測定と同一であり、前記ワイヤレス通信デバイス上で実行され、
前記第２の構成情報に応答してコンフリクト表示を前記第２のワイヤレス通信ノードに送信するステップをさらに備え、前記コンフリクト表示は、前記第２のワイヤレス通信ノードにおいて前記第２のＭＤＴ測定を停止させるための前記ＭＤＴ測定と前記第２のＭＤＴ測定との間のコンフリクトを示す、請求項１に記載の方法。
【請求項７】
前記ワイヤレスネットワーク内のワイヤレス通信デバイス上で実行される第２のＭＤＴ測定についての第２の構成情報を前記第２のワイヤレス通信ノードから受信するステップをさらに備え、前記ＭＤＴ測定は、前記第２のＭＤＴ測定と同一であり、前記ワイヤレス通信デバイス上で実行され、
前記第１のワイヤレス通信ノードにおいて前記ＭＤＴ測定を停止させるステップと、
前記第２の構成情報に応答して第２のフィードバックを前記第２のワイヤレス通信ノードに送信するステップとをさらに備え、前記第２のフィードバックは、前記第２のＭＤＴ測定を継続するように前記第２のワイヤレス通信ノードに指示するための前記第２のＭＤＴ測定についての前記第２の構成情報の確認を備える、請求項１に記載の方法。
【請求項８】
前記ＭＤＴ測定についての前記構成情報は、
前記ＭＤＴ測定の測定対象、
前記ＭＤＴ測定の測定値、
位置測定態様、
前記ＭＤＴ測定のリンク方向、
位置測定プロバイダ、
トレース収集エンティティデバイス情報、
オペレータ情報、
１つ以上のＭＤＴ測定収集位置、
前記ＭＤＴ測定結果を報告する１つ以上のネットワーク要素、
前記ＭＤＴ測定の測定タイプ、
前記ＭＤＴ測定をトリガする基地局情報、および
前記ＭＤＴ測定をトリガする前記基地局のネットワーク管理情報、のうちの少なくとも１つに関連する情報を備える、請求項１に記載の方法。
【請求項９】
第１のワイヤレス通信ノードによって実行される方法であって、
ドライブテストの最小化（ＭＤＴ）測定に対する要求を第２のワイヤレス通信ノードに送信するステップを備え、前記第１のワイヤレス通信ノードも前記第２のワイヤレス通信ノードも、ワイヤレスネットワーク内のノードであり、前記方法はさらに、
前記ＭＤＴ測定についての構成メッセージを前記第２のワイヤレス通信ノードから受信するステップと、
前記構成メッセージに応答してフィードバックを前記第２のワイヤレス通信ノードに送信するステップとを備える、方法。
【請求項１０】
前記要求は、前記ＭＤＴ測定についての第１の構成情報を備え、
前記構成メッセージは、前記ＭＤＴ測定についての第２の構成情報を備える、請求項９に記載の方法。
【請求項１１】
前記第２の構成情報は、前記第１の構成情報と同一であり、
前記フィードバックは、前記ＭＤＴ測定が前記第１の構成情報に基づいて実行されることの確認を備える、請求項１０に記載の方法。
【請求項１２】
前記第２の構成情報は、前記第１の構成情報とは異なっており、
前記フィードバックは、前記ＭＤＴ測定が前記第２の構成情報に基づいて実行されることの確認を備える、請求項１０に記載の方法。
【請求項１３】
第１のワイヤレス通信ノードによって実行される方法であって、
ドライブテストの最小化（ＭＤＴ）測定についての構成情報を第２のワイヤレス通信ノードから受信するステップを備え、前記第１のワイヤレス通信ノードも前記第２のワイヤレス通信ノードも、ワイヤレスネットワーク内のノードであり、前記方法はさらに、
前記ＭＤＴ測定についての前記構成情報に応答してフィードバックを前記第２のワイヤレス通信ノードに送信するステップを備える、方法。
【請求項１４】
前記フィードバックは、前記ＭＤＴ測定についての前記構成情報の確認を備え、
前記第２のワイヤレス通信ノードは、前記ワイヤレスネットワーク内のワイヤレス通信デバイスを介して前記構成情報に基づいて前記ＭＤＴ測定を実行する、請求項１３に記載の方法。
【請求項１５】
前記ＭＤＴ測定は、前記ワイヤレスネットワーク内のワイヤレス通信デバイスによって実行され、
前記フィードバックは、前記第１のワイヤレス通信ノードが、前記ＭＤＴ測定と同一の既存のＭＤＴ測定を前記ワイヤレス通信デバイス上でトリガしたことを示すコンフリクト表示を備え、
前記第２のワイヤレス通信ノードは、前記フィードバックに応答して前記ＭＤＴ測定を停止させる、請求項１３に記載の方法。
【請求項１６】
前記ＭＤＴ測定は、前記第１のワイヤレス通信ノードによって実行される第１の部分と、前記第２のワイヤレス通信ノードによって実行される第２の部分と、前記ワイヤレスネットワーク内のワイヤレス通信デバイスによって実行される第３の部分とを備え、
前記方法はさらに、
前記ＭＤＴ測定の前記第１の部分を実行して、第１の測定結果を生成するステップと、
前記第１の測定結果を前記ワイヤレスネットワークのトレース収集エンティティに報告するステップとを備える、請求項１３に記載の方法。
【請求項１７】
前記第２のワイヤレス通信ノードは、前記ＭＤＴ測定の前記第２の部分を実行して、第２の測定結果を生成し、
前記方法はさらに、
前記第２の測定結果を前記第２のワイヤレス通信ノードから受信するステップと、
前記第２の測定結果を前記ワイヤレスネットワークのトレース収集エンティティに報告するステップとを備える、請求項１６に記載の方法。
【請求項１８】
前記ワイヤレスネットワーク内のワイヤレス通信デバイス上で実行される第２のＭＤＴ測定についての第２の構成情報を前記第２のワイヤレス通信ノードに送信するステップをさらに備え、前記ＭＤＴ測定は、前記第２のＭＤＴ測定と同一であり、前記ワイヤレス通信デバイス上で実行され、
前記第２の構成情報に応答してコンフリクト表示を前記第２のワイヤレス通信ノードから受信するステップをさらに備え、前記コンフリクト表示は、前記ＭＤＴ測定と前記第２のＭＤＴ測定との間のコンフリクトを示し、
前記コンフリクト表示に応答して前記第２のＭＤＴ測定を停止させるステップをさらに備える、請求項１３に記載の方法。
【請求項１９】
前記ワイヤレスネットワーク内のワイヤレス通信デバイス上で実行される第２のＭＤＴ測定についての第２の構成情報を前記第２のワイヤレス通信ノードに送信するステップをさらに備え、前記ＭＤＴ測定は、前記第２のＭＤＴ測定と同一であり、前記ワイヤレス通信デバイス上で実行され、
前記第２の構成情報に応答して第２のフィードバックを前記第２のワイヤレス通信ノードから受信するステップをさらに備え、前記第２のフィードバックは、前記第２のＭＤＴ測定についての前記第２の構成情報の確認を備え、
前記第２の構成情報に基づいて前記第２のＭＤＴ測定を前記ワイヤレス通信デバイスを介して実行するステップをさらに備える、請求項１３に記載の方法。
【請求項２０】
前記ＭＤＴ測定についての前記構成情報は、
前記ＭＤＴ測定の測定対象、
前記ＭＤＴ測定の測定値、
位置測定態様、
前記ＭＤＴ測定のリンク方向、
位置測定プロバイダ、
トレース収集エンティティデバイス情報、
オペレータ情報、
１つ以上のＭＤＴ測定収集位置、
前記ＭＤＴ測定結果を報告する１つ以上のネットワーク要素、
前記ＭＤＴ測定の測定タイプ、
前記ＭＤＴ測定をトリガする基地局情報、および
前記ＭＤＴ測定をトリガする前記基地局のネットワーク管理情報、のうちの少なくとも１つに関連する情報を備える、請求項１３に記載の方法。
【請求項２１】
第１のワイヤレス通信ノードによって実行される方法であって、
ドライブテストの最小化（ＭＤＴ）測定に対する要求を第２のワイヤレス通信ノードから受信するステップを備え、前記第１のワイヤレス通信ノードも前記第２のワイヤレス通信ノードも、ワイヤレスネットワーク内のノードであり、前記方法はさらに、
前記ＭＤＴ測定についての構成メッセージを前記第２のワイヤレス通信ノードに送信するステップと、
前記構成メッセージに応答してフィードバックを前記第２のワイヤレス通信ノードから受信するステップとを備える、方法。
【請求項２２】
前記要求は、前記ＭＤＴ測定についての第１の構成情報を備え、
前記構成メッセージは、前記ＭＤＴ測定についての第２の構成情報を備える、請求項２１に記載の方法。
【請求項２３】
前記第２の構成情報は、前記第１の構成情報と同一であり、
前記フィードバックは、前記ＭＤＴ測定が前記第１の構成情報に基づいて実行されることの確認を備える、請求項２２に記載の方法。
【請求項２４】
前記第２の構成情報は、前記第１の構成情報とは異なっており、
前記フィードバックは、前記ＭＤＴ測定が前記第２の構成情報に基づいて実行されることの確認を備える、請求項２２に記載の方法。
【請求項２５】
請求項１から２４のいずれか１項に記載の方法を実行するように構成されたワイヤレス通信ノード。
【請求項２６】
請求項１から２４のいずれか１項に記載の方法を実行するための、コンピュータによって実行可能な命令が格納された非一時的なコンピュータ読取可能媒体。
【発明の詳細な説明】
【技術分野】
【０００１】
本開示は、一般にワイヤレス通信に関し、より特定的にはマルチコネクティビティアーキテクチャを有するワイヤレスネットワークにおいてドライブテストの最小化機能を構成するための方法、装置およびシステムに関する。
【背景技術】
【０００２】
背景
現在のモバイル通信システムのネットワーク最適化のために、通常はドライブテストを使用して、カバレッジ品質およびシステム性能が所望の設計要件を達成しているか否かを確認する。従来のドライブテストでは、プロの人々、たとえばネットワーク最適化者が、ランダムなルートに沿って媒体を駆動する。それらの各々は、測定端末を使用してルートに沿って事象および測定値を記録し、それらの記録をネットワーク最適化のためにオペレータに提供する。このプロセスはかなりの手間および時間を必要とし、ネットワークオペレータがネットワークを構築して維持するのに大きな負担を課すことになる。
【０００３】
手動ドライブテストのコストおよび複雑さを減らすために、第三世代パートナーシッププロジェクト（３ＧＰＰ）は、ドライブテストの最小化（ＭＤＴ）機能をユニバーサル地上無線アクセスネットワーク（ＵＴＲＡＮ）および進化型ＵＴＲＡＮ（Ｅ−ＵＴＲＡＮ）リリース１０バージョンに導入している。ＵＴＲＡＮは、基地局ノードＢと、無線ネットワークコントローラ（ＲＮＣ）とを含む。Ｅ−ＵＴＲＡＮは、進化型基地局ｅＮＢを含む。ＵＴＲＡＮに対応するコアネットワーク（ＣＮ）は、ホーム加入者サーバ（ＨＳＳ）、移動交換局（ＭＳＣ）サーバ、サービングＧＰＲＳ（汎用パケット無線サービス）サポートノード（ＳＧＳＮ）などを含む。Ｅ−ＵＴＲＡＮに対応するＣＮは、ＨＳＳ、モバイル管理エンティティ（ＭＭＥ）などを含む。ＭＤＴ機能は、ユーザ機器（ＵＥ）または端末によって測定情報を自動的に収集し、この測定情報をコントロールプレーンシグナリングによって無線アクセスネットワーク（ＲＡＮ）に報告する。ＵＴＲＡＮシステムでは、測定情報はＲＮＣに報告され、Ｅ−ＵＴＲＡＮシステムでは、測定情報はｅＮＢに報告される。次いで、測定情報は、ネットワーク最適化のために、たとえばネットワークカバレッジ問題を発見して解決するために、ＲＡＮを介してオペレーションおよびメンテナンス（ＯＡＭ）システムのトレース収集エンティティ（ＴＣＥ）に報告される。
【０００４】
また、ＭＤＴ機能を使用して、手動ドライブテストが到達し得ないエリア、たとえば屋内エリアおよびプライベートエリアにおいてワイヤレス測定情報を収集することもできる。しかし、ＭＤＴに関する既存の技術は、端末がサービスのために単一の基地局のみに接続する単独接続性アーキテクチャ下でのワイヤレスネットワーク内でのドライブテストに焦点を当てているに過ぎない。したがって、ワイヤレスネットワークにおいてＭＤＴを構成するための既存のシステムおよび方法は、完全に満足のいくものではない。
【発明の概要】
【課題を解決するための手段】
【０００５】
本明細書に開示されている例示的な実施形態は、先行技術に提示されている課題のうちの１つ以上に関連する問題を解決すること、および、添付の図面とともに以下の詳細な説明を参照することによって容易に明らかになるであろうさらなる特徴を提供することに向けられる。さまざまな実施形態に従って、例示的なシステム、方法、デバイスおよびコンピュータプログラム製品が本明細書に開示されている。しかし、これらの実施形態は限定としてではなく一例として提示されているということが理解され、本開示の範囲内にとどまりながら開示されている実施形態にさまざまな変更を加えることができるということは、本開示を読む当業者にとって明らかであろう。
【０００６】
一実施形態において、第１のワイヤレス通信ノードによって実行される方法が開示される。上記方法は、ドライブテストの最小化（ＭＤＴ）測定についての構成情報を第２のワイヤレス通信ノードに送信するステップと、上記ＭＤＴ測定についての上記構成情報に応答してフィードバックを上記第２のワイヤレス通信ノードから受信するステップとを含む。上記第１のワイヤレス通信ノードも上記第２のワイヤレス通信ノードも、ワイヤレスネットワーク内のノードである。
【０００７】
さらなる実施形態において、第１のワイヤレス通信ノードによって実行される方法が開示される。上記方法は、ドライブテストの最小化（ＭＤＴ）測定に対する要求を第２のワイヤレス通信ノードに送信するステップと、上記ＭＤＴ測定についての構成メッセージを上記第２のワイヤレス通信ノードから受信するステップと、上記構成メッセージに応答してフィードバックを上記第２のワイヤレス通信ノードに送信するステップとを含む。上記第１のワイヤレス通信ノードも上記第２のワイヤレス通信ノードも、ワイヤレスネットワーク内のノードである。
【０００８】
別の実施形態において、第１のワイヤレス通信ノードによって実行される方法が開示される。上記方法は、ドライブテストの最小化（ＭＤＴ）測定についての構成情報を第２のワイヤレス通信ノードから受信するステップと、上記ＭＤＴ測定についての上記構成情報に応答してフィードバックを上記第２のワイヤレス通信ノードに送信するステップとを含む。上記第１のワイヤレス通信ノードも上記第２のワイヤレス通信ノードも、ワイヤレスネットワーク内のノードである。
【０００９】
さらに別の実施形態において、第１のワイヤレス通信ノードによって実行される方法が開示される。上記方法は、ドライブテストの最小化（ＭＤＴ）測定に対する要求を第２のワイヤレス通信ノードから受信するステップと、上記ＭＤＴ測定についての構成メッセージを上記第２のワイヤレス通信ノードに送信するステップと、上記構成メッセージに応答してフィードバックを上記第２のワイヤレス通信ノードから受信するステップとを含む。上記第１のワイヤレス通信ノードも上記第２のワイヤレス通信ノードも、ワイヤレスネットワーク内のノードである。
【００１０】
異なる実施形態において、いくつかの実施形態において開示された方法を実行するように構成されたワイヤレス通信ノードが開示される。
【００１１】
さらに別の実施形態において、いくつかの実施形態において開示された方法を実行するための、コンピュータによって実行可能な命令が格納された非一時的なコンピュータ読取可能媒体が開示される。
【００１２】
本開示のさまざまな例示的な実施形態について、以下の図面を参照して以下で詳細に説明する。図面は、例示の目的で提供されているに過ぎず、本開示に対する読者の理解を容易にするために本開示の例示的な実施形態を示しているに過ぎない。したがって、図面は、本開示の広さ、範囲または適用範囲を限定するものとして考えられるべきではない。なお、明確にするためおよび説明を容易にするために、これらの図面は必ずしも縮尺通りに描かれていない。
【図面の簡単な説明】
【００１３】
【図１】本開示の実施形態に係る、本明細書に開示されている技術が実現され得る例示的な通信ネットワークを示す図である。
【図２】本開示の実施形態に係る、本明細書に開示されている技術が実現され得るマルチコネクティビティアーキテクチャを有する例示的なワイヤレスネットワークを示す図である。
【図３】本開示のいくつかの実施形態に係る、マスタノード（ＭＮ）のブロック図である。
【図４】本開示のいくつかの実施形態に係る、マルチコネクティビティアーキテクチャ下でドライブテストの最小化（ＭＤＴ）を構成するための、ＭＮによって実行される方法のフローチャートである。
【図５】本開示のいくつかの実施形態に係る、セカンダリノード（ＳＮ）のブロック図である。
【図６】本開示のいくつかの実施形態に係る、マルチコネクティビティアーキテクチャ下でＭＤＴを構成するための、ＳＮによって実行される方法のフローチャートである。
【図７】本開示の実施形態に係る、マルチコネクティビティアーキテクチャ下でＭＤＴを構成するための例示的な方法を示す図である。
【図８】本開示の実施形態に係る、マルチコネクティビティアーキテクチャ下でＭＤＴを構成するための別の例示的な方法を示す図である。
【図９】本開示の実施形態に係る、ＭＮとＳＮとの間のコンフリクトを回避するための、マルチコネクティビティアーキテクチャ下でＭＤＴを構成するための例示的な方法を示す図である。
【図１０】本開示の実施形態に係る、ＭＮとＳＮとの間のコンフリクトを回避するための、マルチコネクティビティアーキテクチャ下でＭＤＴを構成するための別の例示的な方法を示す図である。
【図１１】本開示の実施形態に係る、ＭＮとＳＮとの間のコンフリクトを回避するための、マルチコネクティビティアーキテクチャ下でＭＤＴを構成するためのさらに別の例示的な方法を示す図である。
【発明を実施するための形態】
【００１４】
例示的な実施形態の詳細な説明
当業者が本開示を構成して使用することを可能にするために、本開示のさまざまな例示的な実施形態について添付の図面を参照して以下で説明する。当業者に明らかであるように、本開示を読んだ後で、本開示の範囲から逸脱することなく、本明細書に記載されている例に対してさまざまな変更または修正を行うことができる。したがって、本開示は、本明細書に記載および説明されている例示的な実施形態および適用例に限定されるものではない。また、本明細書に開示されている方法におけるステップの特定の順序および／または階層構造は、例示的なアプローチに過ぎない。開示されている方法またはプロセスのステップの特定の順序または階層構造は、本開示の範囲内にとどまりながら、設計嗜好に基づいて並べ替えることができる。したがって、本明細書に開示されている方法および技術は、サンプル順序でさまざまなステップまたは行為を示しているということを当業者は理解し、本開示は、明示的に別段の定めをした場合を除き、示されている特定の順序または階層構造に限定されるものではない。
【００１５】
マルチコネクティビティアーキテクチャおよびドライブテストの最小化は、移動体通信システムにおいて重要な特徴である。一般的なワイヤレス通信ネットワークは、各々が地理的な無線カバレッジ（セル）を提供する１つ以上の基地局（一般に「ＢＳ」として知られる）と、この無線カバレッジ内でデータを送受信することができる１つ以上のワイヤレスユーザ機器デバイス（一般に「ＵＥ」として知られる）とを含む。マルチコネクティビティアーキテクチャ下では、複数のマイクロセルクラスタは、マクロセル内で分散されてもよい。端末は、マクロセルとのデータ接続を維持しながら１つ以上のマイクロセルとのデータ接続を維持してもよい。すなわち、マルチコネクティビティアーキテクチャ下では、端末は、複数のアクセス側ネットワーク要素、たとえば複数の基地局に接続して、サービスを取得することができる。ドライブテストの最小化（ＭＤＴ）機能は、ネットワークオペレータが測定データを自動的に取得してこの測定データに基づいてネットワークを最適化することを可能にする。
【００１６】
本開示は、マルチコネクティビティアーキテクチャにおいてＭＤＴ測定を構成するための方法を提供する。ＭＤＴに参加している各ネットワーク要素（ＮＥ）は、測定をどのようにトリガするかを独立して判断することができる。物理層におけるテレコミュニケーションネットワークは、多くの相互接続されたワイヤラインＮＥを含む。これらのＮＥは、単一の製造業者によって供給されるかまたはサービスプロバイダによっていくつかの異なる製造業者からの部品と組み立てられるスタンドアロンのシステムまたは製品であってもよい。ワイヤレスネットワークにおいて、ＮＥは、ノード、基地局、またはワイヤレスキャリアによって使用されてバックホールネットワークおよび移動交換局に対するサポートを提供する任意の製品である。マルチコネクティビティアーキテクチャ下で、ＮＥは、マスタノード（ＭＮ）またはセカンダリノード（ＳＮ）であってもよい。一実施形態では、第１のワイヤレス通信ノードは、ＭＤＴ測定についての構成情報を第２のワイヤレス通信ノードに送信し、このＭＤＴ測定についての構成情報に応答してフィードバックを第２のワイヤレス通信ノードから受信する。これら２つのワイヤレス通信ノードは、マルチコネクティビティアーキテクチャを有する同一のワイヤレスネットワークの２つのノード、たとえば２つのネットワーク要素ＭＮおよびＳＮであってもよい。
【００１７】
ＮＥ自体において測定を構成することに加えて、各ＮＥは、ＭＤＴ測定の一部を他のＮＥに割り当てることもできる。たとえば、ＭＮは、ＭＤＴの基地局側の測定構成をＭＮ基地局に割り当てて、端末側の測定を実行してＳＮのコントロールプレーンを介して端末に提供し、位置決め測定構成をＳＮ基地局に提供してもよい。ＭＤＴ測定が完了した後、ＳＮは、端末およびＳＮ基地局の測定結果を収集して、構成情報に従って測定結果をＭＮに報告するか、または、構成に従って端末およびＳＮ基地局の測定結果を収集して、測定結果をＴＣＥデバイスに報告する。ＭＤＴ測定についての構成情報は、ＭＤＴ測定の測定対象、ＭＤＴ測定の測定値、位置測定態様、ＭＤＴ測定のリンク方向、位置測定プロバイダ、トレース収集エンティティデバイス情報、オペレータ情報、１つ以上のＭＤＴ測定収集位置、ＭＤＴ測定結果を報告する１つ以上のネットワーク要素、ＭＤＴ測定の測定タイプ、ＭＤＴ測定をトリガする基地局情報、およびＭＤＴ測定をトリガする基地局のネットワーク管理情報のうちの少なくとも１つに関連する情報を備える。
【００１８】
ＭＤＴ測定についての構成情報に応答したフィードバックは、ＭＤＴ測定についての構成情報の確認、または、第２のワイヤレス通信ノードが、ＭＤＴ測定と同一の既存のＭＤＴ測定を同一のワイヤレス通信デバイスまたは端末上でトリガしたことを示すコンフリクト表示を備えてもよい。コンフリクトは、複数のＮＥがそれぞれ同一のＵＥに対して同一タイプのＭＤＴ測定を実行すると起こり得る。たとえば、ＭＮは、特定の端末上でシグナリングベースのＭＤＴ測定をトリガし、同時に、ＳＮ基地局のネットワーク管理は、その端末上で管理ベースのＭＤＴをトリガする。したがって、ＭＮおよびＳＮは、同一の端末上で同一の測定を選択する。開示されている方法は、２つの基地局ＭＮとＳＮとの間の交渉または予め定められた合意を通じてこのコンフリクトを解決する。
【００１９】
２つのノード間のコンフリクトを回避するための例示的な方法では、第１のワイヤレス通信ノードは、ＭＤＴ測定に対する要求を第２のワイヤレス通信ノードに送信し、ＭＤＴ測定についての構成メッセージを第２のワイヤレス通信ノードから受信し、構成メッセージに応答してフィードバックを第２のワイヤレス通信ノードに送信する。これら２つのワイヤレス通信ノードは、マルチコネクティビティアーキテクチャを有する同一のワイヤレスネットワークの２つのノード、たとえば２つのネットワーク要素ＭＮおよびＳＮであってもよい。要求は、第１のノードが望むＭＤＴについての第１の測定構成を備えてもよく、第２のノードによって送信される構成メッセージは、２つのノード間にＭＤＴコンフリクトがあるか否か、すなわち第１のノードが望むＭＤＴ測定と同一の端末上で実行される別のＭＤＴ測定を第２のノードがトリガしたまたは望むか否かによって、第１の測定構成と同一または異なる第２の測定構成を備えてもよい。
【００２０】
さまざまな実施形態では、本開示におけるＢＳは、ネットワーク側と称されることができ、次世代ノードＢ（ｇＮＢ）、Ｅ−ＵＴＲＡＮノードＢ（ｅＮＢ）、送信／受信ポイント（ＴＲＰ）、アクセスポイント（ＡＰ）、ネットワーク要素（ＮＥ）などを含み得るか、または次世代ノードＢ（ｇＮＢ）、Ｅ−ＵＴＲＡＮノードＢ（ｅＮＢ）、送信／受信ポイント（ＴＲＰ）、アクセスポイント（ＡＰ）、ネットワーク要素（ＮＥ）などとして実現可能である。本開示におけるＵＥは、端末と称されることができ、移動局（ＭＳ）、局（ＳＴＡ）などを含み得るか、または移動局（ＭＳ）、局（ＳＴＡ）などとして実現可能である。マルチコネクティビティアーキテクチャ下で、ＮＥは、マスタノード（ＭＮ）またはセカンダリノード（ＳＮ）であってもよい。ＢＳおよびＵＥは、それぞれ、本開示のさまざまな実施形態に従って、開示されている方法を実行することができ、ワイヤレス通信および／または有線通信を可能にし得る「ワイヤレス通信ノード」および「ワイヤレス通信デバイス」の非限定的な例として本明細書に記載されてもよい。
【００２１】
図１は、本開示の実施形態に係る、本明細書に開示されている技術が実現され得る例示的な通信ネットワーク１００を示す図である。一実施形態では、例示的な通信ネットワーク１００は、第五世代（５Ｇ）アーキテクチャを有し、この第五世代アーキテクチャは、５Ｇコアネットワーク（５ＧＣ）１１０部分と、次世代無線アクセスネットワーク（ＮＧ−ＲＡＮ）１２０部分とを含む。図１に示されるように、５ＧＣ部分１１０は、モビリティ管理機能（ＡＭＦ）と、ユーザプレーン機能（ＵＰＦ）１１２，１１４とを含み、ＮＧ−ＲＡＮ部分１２０は、ｇＮＢ１２２，１２４および／またはｎｇ−ｅＮＢ１２６，１２８を含む。５Ｇアクセスネットワーク１２０と５Ｇコアネットワーク１１０との間のインターフェイスは、ＮＧインターフェイス１３０である。ｇＮＢ１２２，１２４とｎｇ−ｅＮＢ１２６，１２８とは、Ｘｎインターフェイス１４０またはＸ２インターフェイスなどの基地局間コントロールプレーンインターフェイスを介して通信してもよい。
【００２２】
図２は、本開示の実施形態に係る、本明細書に開示されている技術が実現され得るマルチコネクティビティアーキテクチャを有する例示的なワイヤレスネットワーク２００を示す図である。ネットワークの配備および端末能力の向上により、サービスのために端末を複数の基地局に接続することができる。図２に示されるように、複数のマイクロまたはスモールセルクラスタ２１２，２１４，２１６は、マクロセル１  ２１０内に分散されており、複数のマイクロまたはスモールセルクラスタ２２２，２２４，２２６は、マクロセル２  ２２０内に分散されている。端末は、マクロセルとのデータ接続を維持しながら、１つ以上のマイクロセルとのデータ接続を維持してもよい。このアーキテクチャは、マルチコネクティビティアーキテクチャと呼ばれる。
【００２３】
ＵＥがマスタ基地局（Ｍｎｇ−ｅＮＢ／ｇＮＢ）およびセカンダリ基地局（Ｓｎｇ−ｅＮＢ／ｇＮＢ）との２つの同時的な独立した無線リンク（ＲＬ）接続をそれぞれ確立することを可能にするために、デュアルコネクティビティ（ＤＣ）が標準化されている。ＵＥは、マスタセルグループ（ＭＣＧ）ベアラ、セカンダリセルグループ（ＳＣＧ）ベアラ、またはスプリットベアラで構成されてもよい。一実施形態では、スプリットベアラは、ダウンリンクデータオフロードのみをサポートする。この場合、ＵＥは、２つの周波数間ノンｃｏサイト（two inter-frequency non co-site）基地局無線リソースによって提供されるＤＲＢ（データ無線ベアラ）サービスを同時に取得してもよい。ＵＥがＭｎｇ−ｅＮＢ／ｇＮＢおよびＳｎｇ−ｅＮＢ／ｇＮＢとの２つの独立したＲＬ接続を同時に確立することを可能にするために、強化型デュアルコネクティビティ（ｅＤＣ）がさらに標準化されている。ＵＥは、さらに、アップリンクオフロードを補完するようにスプリットベアラを構成することができる。この場合、ＵＥは、２つの周波数間ノンｃｏサイト基地局無線リソースによって提供されるＤＲＢサービスを同時に取得することができる。たとえばＳｎｇ−ｅＮＢ／ｇＮＢ接続をそのままにしておきながら異なるＭｎｇ−ｅＮＢ／ｇＮＢ間を切り換える特定のモビリティシナリオに対してサポートを提供することができる。
【００２４】
ＭＤＴ測定は、図２に示されるマルチコネクティビティアーキテクチャ下で構成されてもよい。ＭＤＴ機能は、ネットワークオペレータが測定データを自動的に取得してこの測定データに基づいてネットワークを最適化することを可能にする。ＭＤＴ機能は、管理ベースのＭＤＴとシグナリングベースのＭＤＴに分割されてもよい。Ｅ−ＵＴＲＡＮシステムを例にとれば、管理ベースのＭＤＴの起動プロセスは、通常、ＯＡＭが、ＭＤＴ構成を含むトレースセッション起動メッセージをｅＮＢに送信することと、ｅＮＢが、このメッセージによって指定されるエリア内の好適なＵＥを選択して、ＭＤＴ構成情報を選択されたＵＥに送信することとを含む。シグナリングベースのＭＤＴの起動プロセスは、ＯＡＭが、ＭＤＴ構成を含むトレースセッション起動メッセージをＨＳＳに送信して、指定されたＵＥのＭＤＴ測定を起動することと、ＨＳＳが、ＵＥのＭＤＴ構成情報をＭＭＥに送信することと、ＭＭＥが、ＵＥのＭＤＴ構成情報をｅＮＢに送信することと、最後にｅＮＢが、ＭＤＴ構成情報をＵＥに送信することとを含む。シグナリングベースのＭＤＴは、通常、国際携帯機器加入者識別情報（ＩＭＳＩ）もしくは国際携帯機器識別番号（ＩＭＥＩ）を有する特定のＵＥを指定するか、またはＵＥ選択を制限するためのエリア情報を追加する。管理ベースのＭＤＴおよびシグナリングベースのＭＤＴの起動メッセージは、国番号とネットワーク番号とを含む公衆陸上移動体ネットワーク（ＰＬＭＮ）情報を含む、ＯＡＭからのトレース参照情報を含む。
【００２５】
図３は、本開示のいくつかの実施形態に係る、マスタノード（ＭＮ）３００のブロック図を示す。ＭＮ３００は、本明細書に記載されているさまざまな方法を実行するように構成可能なノードの一例である。図３に示されるように、ＭＮ３００は、ハウジング３４０を含み、ハウジング３４０は、システムクロック３０２と、プロセッサ３０４と、メモリ３０６と、送信機３１２および受信機３１４を備える送受信機３１０と、パワーモジュール３０８と、ＭＤＴ測定コンフィギュレータ３２０と、フィードバックアナライザ３２２と、ＭＤＴ測定エグゼキュータ３２４と、ＭＤＴ結果レポータ３２６と、構成メッセージアナライザ３２８と、フィードバックジェネレータ３２９とを含む。
【００２６】
この実施形態では、システムクロック３０２は、ＭＮ３００の全ての動作のタイミングを制御するためのタイミング信号をプロセッサ３０４に提供する。プロセッサ３０４は、ＭＮ３００の一般的な動作を制御し、１つ以上の処理回路またはモジュールを含み得て、これらの１つ以上の処理回路またはモジュールは、中央処理装置（ＣＰＵ）、および／または、汎用マイクロプロセッサ、マイクロコントローラ、デジタル信号プロセッサ（ＤＳＰ）、フィールドプログラマブルゲートアレイ（ＦＰＧＡ）、プログラマブルロジックデバイス（ＰＬＤ）、コントローラ、ステートマシン、ゲートロジック、ディスクリートハードウェアコンポーネント、専用ハードウェア有限状態機械、もしくは計算もしくはデータの他の操作を実行することができるその他の好適な回路、デバイスおよび／もしくは構造の任意の組み合わせなどである。
【００２７】
リードオンリメモリ（ＲＯＭ）もランダムアクセスメモリ（ＲＡＭ）も含み得るメモリ３０６は、命令およびデータをプロセッサ３０４に提供することができる。メモリ３０６の一部は、不揮発性ランダムアクセスメモリ（ＮＶＲＡＭ）も含み得る。プロセッサ３０４は、一般に、メモリ３０６内に格納されたプログラム命令に基づいて論理演算および算術演算を実行する。メモリ３０６に格納されたこれらの命令（ソフトウェアとしても知られる）は、プロセッサ３０４によって実行されて、本明細書に記載されている方法を実行することができる。プロセッサ３０４およびメモリ３０６は、ともに、ソフトウェアを格納して実行する処理システムを構成する。本明細書における「ソフトウェア」は、ソフトウェアと称されようと、ファームウェアと称されようと、ミドルウェアと称されようと、マイクロコードと称されようと、１つ以上の所望の機能またはプロセスを実行するようにマシンまたはデバイスを構成することができる任意のタイプの命令を意味する。命令は、コード（たとえば、ソースコードフォーマット、バイナリコードフォーマット、実行可能コードフォーマット、またはその他の好適なコードフォーマット）を含み得る。これらの命令は、１つ以上のプロセッサによって実行されると、本明細書に記載されているさまざまな機能を処理システムに実行させる。
【００２８】
送信機３１２および受信機３１４を含む送受信機３１０は、ＭＮ３００がリモートデバイス（たとえば、ＢＳまたは別のＵＥ）とデータを送受信することを可能にする。アンテナ３５０は、一般に、ハウジング３４０に取り付けられ、送受信機３１０に電気的に結合される。さまざまな実施形態では、ＭＮ３００は、複数の送信機と、複数の受信機と、複数の送受信機とを含む（図示せず）。一実施形態では、アンテナ３５０は、各々が別個の方向を指し示す複数のビームを形成することができるマルチアンテナアレイ３５０と置換される。送信機３１２は、さまざまなパケットタイプまたは機能を有するパケットをワイヤレス送信するように構成可能であり、このようなパケットは、プロセッサ３０４によって生成される。同様に、受信機３１４は、さまざまなパケットタイプまたは機能を有するパケットを受信するように構成され、プロセッサ３０４は、複数のさまざまなパケットタイプのパケットを処理するように構成される。たとえば、プロセッサ３０４は、パケットのタイプを判断して、それに応じてパケットおよび／またはパケットのフィールドを処理するように構成可能である。
【００２９】
マルチコネクティビティアーキテクチャを有するワイヤレスネットワークでは、ＭＮ３００は、単独でＭＤＴ測定を構成してもよく、またはワイヤレスネットワーク内のＳＮとともにＭＤＴ測定を構成してもよい。たとえば、ＭＤＴ測定コンフィギュレータ３２０は、ＭＤＴ測定についての構成情報を生成し、この構成情報を送信機３１２を介して別のワイヤレス通信ノード、たとえばＳＮに送信してもよい。ＭＮ３００もＳＮも、ワイヤレスネットワーク内のノードである。一実施形態では、ＭＤＴ測定は、ワイヤレスネットワーク内のワイヤレス通信デバイス、たとえば端末またはＵＥによって実行される。別の実施形態では、ＭＤＴ測定は、ＭＮ３００によって実行される第１の部分と、ＳＮによって実行される第２の部分と、ワイヤレスネットワーク内の端末によって実行される第３の部分とを備える。この場合、ＭＤＴ測定コンフィギュレータ３２０は、第２の部分をＳＮに送信するか、または第２の部分および第３の部分の両方をＳＮに送信するだけでよく、ＳＮは、第３の部分を端末に転送することができる。ＭＤＴ測定についての構成情報は、ＭＤＴ測定の測定対象、ＭＤＴ測定の測定値、位置測定態様、ＭＤＴ測定のリンク方向、位置測定プロバイダ、トレース収集エンティティデバイス情報、オペレータ情報、１つ以上のＭＤＴ測定収集位置、ＭＤＴ測定結果を報告する１つ以上のネットワーク要素、ＭＤＴ測定の測定タイプ、ＭＤＴ測定をトリガする基地局情報、ＭＤＴ測定をトリガする基地局のネットワーク管理情報のうちの少なくとも１つに関連する情報を備える。
【００３０】
一実施形態では、ＭＮ３００とＳＮとの間のＭＤＴコンフリクトを回避するために、ＭＤＴ測定コンフィギュレータ３２０は、最初に、ＭＤＴ測定に対する要求をＳＮに送信することができる。この要求は、ＭＤＴ測定についての構成情報を備え、この構成情報は、ＭＮ３００が構成情報に従ってＭＤＴ測定をトリガしたいと思っていることをＳＮに通知するためのものである。ＭＤＴ測定コンフィギュレータ３２０は、要求または構成メッセージがＳＮに送信されたこと、および、ＳＮからフィードバックが期待されることをフィードバックアナライザ３２２に知らせてもよい。
【００３１】
この例では、フィードバックアナライザ３２２は、ＭＤＴ測定についての構成情報に応答してフィードバックをＳＮから受信機３１４を介して受信してもよい。フィードバックアナライザ３２２は、このフィードバックを分析して、フィードバックがＭＤＴ測定についての構成情報の確認を備えているか、またはＳＮがＭＤＴ測定と同一の既存のＭＤＴ測定を同一の端末上でトリガしたことを示すコンフリクト表示をフィードバックが備えているかを判断する。フィードバックがＭＤＴ測定についての構成情報の確認を備えている場合、フィードバックアナライザ３２２は、命令をＭＤＴ測定エグゼキュータ３２４に送信することによって、たとえばそれ自体および端末を介して、ＭＤＴ測定を実行するようにＭＤＴ測定エグゼキュータ３２４に知らせてもよい。ＳＮがＭＤＴ測定と同一の既存のＭＤＴ測定を同一の端末上でトリガしたことを示すコンフリクト表示をフィードバックが備えている場合、フィードバックアナライザ３２２は、命令をＭＤＴ測定エグゼキュータ３２４に送信することによって、ＭＤＴ測定の実行を停止させるかまたはＭＤＴ測定を実行しないようにＭＤＴ測定エグゼキュータ３２４に知らせてもよい。
【００３２】
この例では、ＭＤＴ測定エグゼキュータ３２４は、フィードバックアナライザ３２２から受信された命令に基づいて、ＭＤＴ測定を実行したり、ＭＤＴ測定の実行を停止させたりしてもよい。一実施形態では、ＭＤＴ測定エグゼキュータ３２４は、構成情報の確認がＳＮから受信されたことを示す命令をフィードバックアナライザ３２２から受信した後に、ワイヤレスネットワーク内の端末を介して構成情報に基づいてＭＤＴ測定を実行する。別の実施形態では、ＭＤＴ測定エグゼキュータ３２４は、コンフリクト表示がＳＮから受信されたことを示す命令をフィードバックアナライザ３２２から受信した後に、ＭＤＴ測定を停止させる。ＭＤＴ測定がさまざまな部分を含む場合、ＭＤＴ測定エグゼキュータ３２４は、第１の部分を単独で実行し、第２の部分を実行するようにＳＮに指示し、第３の部分を実行するように端末に指示してもよい。実行後、ＭＤＴ測定エグゼキュータ３２４は、報告のために測定結果をＭＤＴ結果レポータ３２６に送信してもよい。
【００３３】
この例では、ＭＤＴ結果レポータ３２６は、測定結果をＭＤＴ測定エグゼキュータ３２４から受信し、それをワイヤレスネットワークのネットワーク管理、たとえばトレース収集エンティティ（ＴＣＥ）デバイスに報告してもよい。一実施形態では、ＭＤＴ結果レポータ３２６は、ＭＤＴ測定の第１の部分を実行するＭＤＴ測定エグゼキュータ３２４によって生成された第１の測定結果を受信し、この第１の測定結果をワイヤレスネットワークのＴＣＥに報告する。別の実施形態では、ＭＤＴ結果レポータ３２６は、ＭＤＴ測定の第２の部分を実行して第２の測定結果を生成するＳＮから第２の測定結果を受信し、この第２の測定結果をワイヤレスネットワークのＴＣＥに報告する。さらに別の実施形態では、ＭＤＴ結果レポータ３２６は、ＭＤＴ測定の第３の部分を実行して第３の測定結果を生成する端末から第３の測定結果を収集してもよく、この第３の測定結果をワイヤレスネットワークのＴＣＥに報告する。
【００３４】
この例では、構成メッセージアナライザ３２８は、構成メッセージをＳＮから受信機３１４を介して受信し、この構成メッセージを分析してもよい。たとえば、構成メッセージは、ＳＮが望む第２のＭＤＴ測定についての第２の構成情報を備え、第２のＭＤＴ測定は、ＭＮ３００が望むＭＤＴ測定と同一であり、ワイヤレスネットワーク内の同一の端末上で実行される。一実施形態では、構成メッセージアナライザ３２８は、ＭＤＴコンフリクトを示すためのフィードバックを生成するようにフィードバックジェネレータ３２９に指示し、第２のＭＤＴ測定を停止させるようにＳＮに依頼してもよい。別の実施形態では、構成メッセージアナライザ３２８は、ＭＮ３００が望むＭＤＴ測定の実行を停止させるようにＭＤＴ測定エグゼキュータ３２４に指示し、第２のＭＤＴ測定を継続するようにＳＮに指示するためのフィードバックを生成するようにフィードバックジェネレータ３２９に指示してもよい。
【００３５】
一実施形態では、ＭＮ３００が構成情報に従ってＭＤＴ測定をトリガしたいと思っていることを示すためのＭＤＴ測定に対する要求をＭＤＴ測定コンフィギュレータ３２０が受信機３１４を介してＳＮに送信した後、構成メッセージアナライザ３２８は、ＭＤＴ測定についての構成メッセージをＳＮから受信してもよい。この要求は、ＭＤＴ測定についての第１の構成情報を備え、構成メッセージは、ＭＤＴ測定についての第２の構成情報を備える。第２の構成情報は、第１の構成情報と同一であってもよく、第１の構成情報とは異なっていてもよい。すなわち、ＳＮは、ＭＮ３００が望むＭＤＴ構成に同意する場合もあれば、同意しない場合もある。構成メッセージの分析結果に基づいて、構成メッセージアナライザ３２８は、フィードバックを生成するようにフィードバックジェネレータ３２９に指示してもよい。
【００３６】
この例では、フィードバックジェネレータ３２９は、別のノードからの要求または構成メッセージに応答してフィードバックを生成して、このフィードバックを送信機３１２を介してノード、たとえばＳＮに送信してもよい。一実施形態では、ＳＮが望む第２のＭＤＴ測定についての第２の構成情報（第２のＭＤＴ測定は、ＭＮ３００が望むＭＤＴ測定と同一であり、ワイヤレスネットワーク内の同一の端末上で実行される）をＭＮ３００が受信した後、フィードバックジェネレータ３２９は、第２の構成情報に応答して、コンフリクト表示を含むフィードバックをＳＮに送信してもよい。コンフリクト表示は、ＳＮにおける第２のＭＤＴ測定を停止させるためのＭＤＴ測定と第２のＭＤＴ測定との間のコンフリクトを示す。
【００３７】
別の実施形態では、ＳＮが望む第２のＭＤＴ測定についての第２の構成情報（第２のＭＤＴ測定は、ＭＮ３００が望むＭＤＴ測定と同一であり、ワイヤレスネットワーク内の同一の端末上で実行される）をＭＮ３００が受信した後、フィードバックジェネレータ３２９は、第２のＭＤＴ測定を継続するようにＳＮに指示するための第２のＭＤＴ測定についての第２の構成情報の確認を含むフィードバックをＳＮに送信してもよい。
【００３８】
さらに別の実施形態では、構成メッセージアナライザ３２８が第２の構成情報（第１の構成情報と同一であってもよく、第１の構成情報とは異なっていてもよい）を含む構成メッセージを受信した後、フィードバックジェネレータ３２９は、この構成メッセージに応答してフィードバックを送信機３１２を介してＳＮに送信する。一例では、第２の構成情報は、第１の構成情報と同一であり、フィードバックは、ＭＤＴ測定が第１の構成情報に基づいて、すなわち第２の構成情報に基づいて実行されることの確認を備える。別の例では、第２の構成情報は、第１の構成情報とは異なっており、フィードバックは、ＭＤＴ測定が第２の構成情報に基づいて実行されることの確認を備える。
【００３９】
パワーモジュール３０８は、１つ以上のバッテリなどの電源と、調整された電力を図３における上記の各モジュールに提供するためのパワーレギュレータとを含み得る。いくつかの実施形態では、ＭＮ３００が専用の外部電源（たとえば、コンセント）に結合される場合、パワーモジュール３０８は、変圧器とパワーレギュレータとを含み得る。
【００４０】
上記のさまざまなモジュールは、バスシステム３３０によって結合される。バスシステム３３０は、データバスを含み得て、データバスに加えて、たとえばパワーバス、制御信号バスおよび／またはステータス信号バスを含み得る。ＭＮ３００のモジュールは、任意の好適な技術および媒体を使用して互いに動作可能に結合可能である、ということが理解される。
【００４１】
多数の別々のモジュールまたはコンポーネントが図３に示されているが、これらのモジュールのうちの１つ以上を組み合わせたり、共通に実現したりすることができるということを当業者は理解するであろう。たとえば、プロセッサ３０４は、プロセッサ３０４に関して上記した機能だけでなく、フィードバックアナライザ３２２に関して上記した機能も実現することができる。逆の言い方をすれば、図３に示されるモジュールの各々は、複数の別々のコンポーネントまたは要素を使用して実現可能である。
【００４２】
図４は、本開示のいくつかの実施形態に係る、マルチコネクティビティアーキテクチャ下でＭＤＴを構成するためにＭＮ、たとえば図３におけるＭＮ３００によって実行される方法４００のフローチャートを示す。動作４０２において、ＭＮは、ＭＤＴ測定に対する要求をマルチコネクティビティアーキテクチャ下の同一のワイヤレスネットワーク内のＳＮに送信する。動作４０４において、ＭＮは、ＭＤＴ測定についての構成メッセージをＳＮから受信する。動作４０６において、ＭＮは、ＭＮとＳＮとの間にＭＤＴコンフリクトがあるか否かを判断する。動作４０８において、ＭＮは、構成メッセージに応答してフィードバックをＳＮに送信する。次いで、動作４１０において、ＭＮは、端末の助けを借りてＭＤＴ測定の少なくとも一部を実行する。
【００４３】
図５は、本開示のいくつかの実施形態に係る、ＳＮ５００のブロック図を示す。ＳＮ５００は、本明細書に記載されているさまざまな方法を実行するように構成可能なノードの一例である。図５に示されるように、ＳＮ５００は、ハウジング５４０を含み、ハウジング５４０は、システムクロック５０２と、プロセッサ５０４と、メモリ５０６と、送信機５１２および受信機５１４を備える送受信機５１０と、パワーモジュール５０８と、ＭＤＴ測定コンフィギュレータ５２０と、フィードバックアナライザ５２２と、ＭＤＴ測定エグゼキュータ５２４と、ＭＤＴ結果レポータ５２６と、構成メッセージアナライザ５２８と、フィードバックジェネレータ５２９とを含む。
【００４４】
この実施形態では、システムクロック５０２、プロセッサ５０４、メモリ５０６、送受信機５１０およびパワーモジュール５０８は、ＭＮ３００におけるシステムクロック３０２、プロセッサ３０４、メモリ３０６、送受信機３１０およびパワーモジュール３０８と同様に機能する。アンテナ５５０またはマルチアンテナアレイ５５０は、一般に、ハウジング５４０に取り付けられ、送受信機５１０に電気的に結合される。
【００４５】
一実施形態では、ＭＤＴ測定コンフィギュレータ５２０は、ＭＤＴ測定についての構成情報を先回りして送信することによって、ＭＮ３００におけるＭＤＴ測定コンフィギュレータ３２０と同様に機能してもよい。別の実施形態では、ＭＤＴ測定コンフィギュレータ３２０が、ワイヤレスネットワーク内の端末上のＭＮ３００が望む第１のＭＤＴ測定についての第１の構成情報をＳＮ５００に送信した後、またはそれと同時に、ＭＤＴ測定コンフィギュレータ５２０は、ＳＮ５００が望む第２のＭＤＴ測定についての第２の構成情報を生成してＭＮ３００に送信する。これら２つのＭＤＴ測定は、同一であり、同一の端末上で実行される。さらに別の実施形態では、ＭＮ３００からのＭＤＴ測定に対する要求に応答して、ＭＤＴ測定コンフィギュレータ５２０は、ＭＤＴ測定についての構成メッセージを生成してＭＮ３００に送信してもよい。この要求は、ＭＤＴ測定についての第１の構成情報を備え、構成メッセージは、ＭＤＴ測定についての第２の構成情報を備える。第２の構成情報は、第１の構成情報と同一であるか、または第１の構成情報とは異なっている。
【００４６】
一実施形態では、フィードバックアナライザ５２２は、ＭＮ３００におけるフィードバックアナライザ３２２と同様に機能してもよい。別の実施形態では、ＭＤＴ測定コンフィギュレータ５２０が第２のＭＤＴ測定についての第２の構成情報をＭＮ３００に送信した後、フィードバックアナライザ５２２は、第２の構成情報に応答してフィードバックをＭＮ３００から受信機５１４を介して受信する。このフィードバックは、第２のＭＤＴ測定を停止させるための、ＭＮ３００が望むＭＤＴ測定とＳＮ５００が望む第２のＭＤＴ測定との間のコンフリクトを示すコンフリクト表示、または、第２のＭＤＴ測定の継続を指示するための第２の構成情報の確認のいずれかを備えてもよい。さらに別の実施形態では、ＭＤＴ測定コンフィギュレータ５２０がＭＤＴ測定についての構成メッセージをＭＮ３００に送信した後、フィードバックアナライザ５２２は、構成メッセージに応答してフィードバックをＭＮ３００から受信機５１４を介して受信する。このフィードバックは、第１の構成情報または第２の構成情報のいずれかに基づいてＭＤＴ測定がＭＮ３００によって実行されることの確認を備える。
【００４７】
一実施形態では、ＭＤＴ測定エグゼキュータ５２４は、ＭＮ３００におけるＭＤＴ測定エグゼキュータ３２４と同様に機能してもよい。別の実施形態では、ＭＤＴ測定エグゼキュータ５２４は、ＭＮ３００によってトリガされるＭＤＴ測定の一部を実行してもよい。さらに別の実施形態では、ＭＮ３００とＳＮ５００との間のＭＤＴコンフリクトに起因して、ＭＤＴ測定エグゼキュータ５２４は、ＳＮ５００が望む第２のＭＤＴ測定を停止させてもよい。さらに別の実施形態では、ＭＮ３００とＳＮ５００との間のＭＤＴコンフリクトにもかかわらず、ＭＤＴ測定エグゼキュータ５２４は、ＭＮ３００からの確認に応答して、ＳＮ５００が望む第２のＭＤＴ測定を実行する。ＭＤＴ測定エグゼキュータ５２４は、報告のために、ＭＤＴ測定結果をＭＤＴ結果レポータ５２６またはＭＮ３００に送信してもよい。
【００４８】
一実施形態では、ＭＤＴ結果レポータ５２６は、ＭＮ３００におけるＭＤＴ結果レポータ３２６と同様に機能してもよい。別の実施形態では、ＭＤＴ結果レポータ５２６は、ＭＤＴ測定の一部を実行した後に、ＭＤＴ測定エグゼキュータ５２４によって生成された測定結果を受信し、測定結果をワイヤレスネットワークのネットワーク管理、たとえば第１のＴＣＥデバイスに報告してもよい。さらに別の実施形態では、ＭＤＴ結果レポータ５２６は、ＭＤＴ測定エグゼキュータ５２４によって生成された測定結果を送信機５１２を介してＭＮ３００に送信してもよく、ＭＮ３００は、測定結果を第２のＴＣＥデバイス（第１のＴＣＥデバイスと同一であってもよく、第１のＴＣＥデバイスとは異なっていてもよい）に報告する。さらに別の実施形態では、ＭＤＴ結果レポータ５２６は、ＭＤＴ測定の別の部分を実行して第２の測定結果を生成するＭＮ３００から第２の測定結果を受信する。ＭＤＴ結果レポータ５２６は、第２の測定結果をワイヤレスネットワークの第３のＴＣＥに報告してもよい。
【００４９】
一実施形態では、構成メッセージアナライザ５２８は、ＭＮ３００における構成メッセージアナライザ３２８と同様に機能してもよい。別の実施形態では、構成メッセージアナライザ５２８は、ワイヤレスネットワーク内の端末上で実行されるＭＤＴ測定についての構成情報をＭＮ３００から受信機５１４を介して受信してもよい。構成メッセージアナライザ５２８は、この構成情報を分析して、ＭＤＴ測定が、ＭＮ３００によって実行される第１の部分と、ＳＮ５００によって実行される第２の部分と、ワイヤレスネットワーク内の端末によって実行される第３の部分とを備えることを判断してもよい。また、構成メッセージアナライザ５２８は、構成情報を分析して、ＭＤＴ測定が、ＭＤＴ測定の測定対象、ＭＤＴ測定の測定値、位置測定態様、ＭＤＴ測定のリンク方向、位置測定プロバイダ、トレース収集エンティティデバイス情報、オペレータ情報、１つ以上のＭＤＴ測定収集位置、ＭＤＴ測定結果を報告する１つ以上のネットワーク要素、ＭＤＴ測定の測定タイプ、ＭＤＴ測定をトリガする基地局情報、およびＭＤＴ測定をトリガする基地局のネットワーク管理情報のうちの少なくとも１つに関連する情報を備えることを判断してもよい。
【００５０】
さらに別の実施形態では、構成メッセージアナライザ５２８は、ＭＤＴ測定に対する要求をＭＮ３００から受信機５１４を介して受信する。構成メッセージアナライザ５２８は、この要求を分析して、要求がＭＤＴ測定についての第１の構成情報を備えることを判断する。構成メッセージアナライザ５２８は、ＳＮ５００が第１の構成情報に同意するか否か、すなわちＭＮ３００とＳＮ５００との間にＭＤＴコンフリクトがあるか否かを判断するために、第１の構成情報をＭＤＴ測定コンフィギュレータ５２０に送信してもよい。
【００５１】
一実施形態では、フィードバックジェネレータ５２９は、ＭＮ３００におけるフィードバックジェネレータ３２９と同様に機能してもよい。別の実施形態では、フィードバックジェネレータ５２９は、ＭＮ３００が望むＭＤＴ測定についての構成情報に応答してフィードバックを生成し、このフィードバックを送信機５１２を介してＭＮ３００に送信してもよい。一例では、フィードバックは、ワイヤレスネットワーク内の端末を介して構成情報に基づいてＭＤＴ測定を実行するようにＭＮ３００に指示するためのＭＤＴ測定についての構成情報の確認を備える。別の例では、フィードバックは、ＳＮ５００が、ＭＤＴ測定と同一であり、かつ、同一の端末上で実行される既存のＭＤＴ測定をトリガしたことを示すコンフリクト表示を備える。このフィードバックを送信することによって、ＳＮ５００は、ワイヤレスネットワーク内の端末を介してＭＤＴ測定の実行を停止させるかまたはＭＤＴ測定を実行しないようにＭＮ３００に指示する。
【００５２】
本教示のさまざまな実施形態に従ってＭＮ３００およびＳＮ５００の役割は交換されてもよい、ということを当業者は理解することができる。上記のさまざまなモジュールは、バスシステム５３０によって結合される。バスシステム５３０は、データバスを含み得て、データバスに加えて、たとえばパワーバス、制御信号バスおよび／またはステータス信号バスを含み得る。ＳＮ５００のモジュールは、任意の好適な技術および媒体を使用して互いに動作可能に結合可能である、ということが理解される。
【００５３】
多数の別々のモジュールまたはコンポーネントが図５に示されているが、これらのモジュールのうちの１つ以上を組み合わせたり、共通に実現したりすることができるということを当業者は理解するであろう。たとえば、プロセッサ５０４は、プロセッサ５０４に関して上記した機能だけでなく、構成メッセージアナライザ５２８に関して上記した機能も実現することができる。逆の言い方をすれば、図５に示されるモジュールの各々は、複数の別々のコンポーネントまたは要素を使用して実現可能である。
【００５４】
図６は、本開示のいくつかの実施形態に係る、マルチコネクティビティアーキテクチャ下でＭＤＴを構成するための、ＳＮ、たとえば図５におけるＳＮ５００によって実行される方法６００のフローチャートを示す。動作６０２において、ＳＮは、ＭＤＴ測定に対する要求をマルチコネクティビティアーキテクチャ下の同一のワイヤレスネットワーク内のＭＮから受信する。動作６０４において、ＳＮは、この要求を分析して、ＭＮとＳＮとの間にＭＤＴコンフリクトがあるか否かを判断する。動作６０６において、ＳＮは、ＭＤＴ測定についての構成メッセージをＭＮに送信する。動作６０８において、ＳＮは、この構成メッセージに応答してフィードバックをＭＮから受信する。動作６１０において、ＳＮは、ＭＤＴ測定の少なくとも一部を実行する。
【００５５】
ここで、本開示のさまざまな実施形態について以下で詳細に説明する。なお、本開示における実施形態および実施例の特徴は、矛盾のない任意の態様で互いに組み合わせられてもよい。
【００５６】
本開示のさまざまな実施形態に従って、マルチコネクティビティアーキテクチャ下でＭＤＴを構成するための方法が提供される。ＭＤＴに参加する各ネットワーク要素（ＮＥ）は、測定をどのようにトリガするかを独立して判断することができる。ＮＥの測定構成を構成することに加えて、各ＮＥは、測定の一部を他のＮＥ構成に割り当てることもできる。たとえば、ＭＮネットワーク要素が特定の端末のためにＭ６測定（パケット遅延測定）を構成する場合、ＭＮは、Ｍ６の基地局側の測定構成をＭＮ基地局に提供して、Ｍ６の端末側の測定を実行してＳＮのコントロールプレーンを介して端末に提供し、位置決め測定構成をＳＮ基地局に提供してもよい。測定が完了した後、ＳＮは、端末およびＳＮ基地局の測定結果を収集し、構成情報に従って測定結果をＭＮに報告するか、または、構成に従って端末およびＳＮ基地局の測定結果を収集し、測定結果をＴＣＥデバイスに報告する。したがって、この方法では、ＭＤＴをトリガするネットワーク要素が、ＭＤＴを実行する基地局に基地局間インターフェイスを介してＭＤＴ構成情報を送信し、ＭＤＴを実行する必要がある基地局が測定を実行する。
【００５７】
図７は、本開示の第１の実施形態に係る、マルチコネクティビティアーキテクチャ下でＭＤＴを構成するための例示的な方法を示す。図７に示されるように、ＭＮ７１０は、ＭＤＴ構成をＳＮ７２０に送信し、ＳＮ７２０は、この構成に従ってＭＤＴを実行する。測定が完了した後、ＳＮ７２０は、測定報告を直接ＴＣＥに送信する。代替的な実施形態では、ＳＮは、コアネットワークから送信されたシグナリングを受信し、このシグナリングは、ＭＤＴについての構成メッセージを含む。次いで、ＳＮは、構成をＭＮに送信する。ＭＮにおける測定後、ＭＮは、報告を直接ＴＣＥに送信する。トリガされる測定は、シグナリングベースのＭＤＴ測定であってもよく、または管理ベースのＭＤＴ測定であってもよい。
【００５８】
図７に示される第１の実施形態では、ステップ１において、ＭＮ７１０は、ＭＤＴ測定構成情報、たとえば構成パラメータをＳＮ７２０に送信する。ＭＮ７１０は、ＭＤＴ測定をトリガする。トリガは、シグナリングベースのＭＤＴ測定によるものであってもよく、および／または、管理ベースのＭＤＴ測定によるものであってもよい。この例では、ＭＮ７１０がＭＤＴ測定を有することにする。ＭＮ７１０は、ＳＮ７２０が測定タスクを引き受けると判断する。ＭＮ７１０は、ＸＮインターフェイス、Ｘ２インターフェイスなどの基地局間インターフェイスメッセージを介してメッセージをＳＮ７２０に送信する。このメッセージは、既存のメッセージに基づく変形であってもよく、新たなメッセージであってもよい。
【００５９】
ＭＤＴ測定構成パラメータは、以下のパラメータのうちの１つまたは組み合わせを含んでもよく、以下のパラメータは、測定値（Ｍ１、Ｍ２、Ｍ３、Ｍ４、Ｍ５、Ｍ６、Ｍ７を含む）、測定対象（ＭＣＧベアラ、ＳＣＧベアラ、スプリットベアラのＳＣＧ  ＲＬＣベアラ、スプリットベアラのＭＣＧ  ＲＬＣベアラ、ＱＣＩ、ＵＥの全てのベアラ、フローＩＤ、スライス情報（たとえば、Ｓ−ＮＳＳＡＩなど）を含む）、位置測定態様（Ｅ−ＣＩＤ、ＧＰＳ、ブルートゥース（登録商標）、Ｗｉ−Ｆｉ）、ＭＤＴ測定のリンク方向（アップリンク測定、ダウンリンク測定）、位置測定プロバイダ（端末または基地局）、ＴＣＥデバイス情報（ＴＣＥ識別子、ＴＣＥアドレス）、オペレータ情報（ＰＬＭＮ  ＩＤ）、測定収集位置（指定のＭＮネットワーク要素、指定のＳＮネットワーク要素、別個の収集）、測定結果が報告されるＮＥまたはＭＤＴ測定結果を報告するＮＥ（指定のＭＮ  ＮＥ、指定のＳＮ  ＮＥ、別個の報告）、測定タイプ（管理ベースのＭＤＴ測定、シグナリングベースのＭＤＴ測定）、測定をトリガする基地局情報（たとえば、ｇＮＢ  ＩＤ）、および測定をトリガする基地局のネットワーク管理情報（ネットワーク管理のＤＮＳ情報またはアドレス情報など）である。これらのパラメータは、組み合わせられた形態でＳＮネットワーク要素に合わせて構成されてもよい。たとえば、ＳＮネットワーク要素が測定結果を正しいＴＣＥデバイスに直接報告することを可能にするために、パラメータを構成する際、ＭＮは、ＴＣＥデバイス情報（アドレス情報およびＴＣＥデバイス番号など）をＳＮネットワーク要素に送信してもよい。この情報に基づいて、ＳＮは、報告を正しいＴＣＥデバイスに送信することができる。たとえば、ＴＣＥネットワーク要素が、どのネットワーク要素が測定結果をトリガしたかを正しく識別することを可能にするために、ＭＮネットワーク要素は、それ自体のデバイス情報（たとえば、基地局番号、たとえば基地局ネットワーク管理システムのＤＮＳ情報）をＳＮに送信してもよい。ＳＮが報告をＴＣＥに送信すると、報告は、ＭＮネットワーク要素機器情報も含むようになるため、ＴＣＥ機器は、受信した測定報告がどのネットワーク要素によってトリガされたＭＤＴ測定によるものであるかを統計的に判断することができる。
【００６０】
ステップ２において、ＳＮ７２０は、ＭＮ７１０が望むＭＤＴ測定を実行するためのフィードバックメッセージを送信する。ステップ３において、ＳＮ７２０および／または端末は、ＭＤＴ測定を実行し、ＳＮ７２０は、ＭＤＴ測定結果を収集することを担当する。ステップ４において、ＳＮ７２０が測定を終了した後、ＳＮ７２０は、構成に従って測定結果をＴＣＥデバイスに報告する。
【００６１】
図８は、本開示の第２の実施形態に係る、マルチコネクティビティアーキテクチャ下でＭＤＴを構成するための別の例示的な方法を示す図である。第２の実施形態では、スプリットベアラのＰＤＣＰ層は、ＳＮネットワーク要素上にある。ＭＮは、測定を３つの部分（ＭＮによって実行される測定部分、端末によって実行される測定部分、およびＳＮによって実行される測定部分）に分解する。ＭＮは、測定を実行するために、ＭＤＴ測定構成を端末に送信する。ＭＮ自体が測定を実行し、同時に、ＭＮはＭＤＴ構成をＳＮに送信し、ＳＮも測定を実行する。測定が完了した後、ＭＮ側は、ＭＮ側において測定結果を収集してそれを第１のＴＣＥに報告することを担当する。ＳＮは、ＳＮ側において測定結果を収集してそれを第２のＴＣＥ（第１のＴＣＥと同一であってもよく、第１のＴＣＥとは異なっていてもよい）に報告することを担当する。各ＭＤＴ測定は、ＭＤＴ測定を識別する、たとえばＵＥ  ＩＤ、時間などの観点でのトレースＩＤを有する。測定結果の各報告は、ＭＤＴ測定のトレースＩＤを保持し、どのＵＥによって、どの時間に、どの場所で、どのような測定パラメータを用いて、ＭＤＴ測定が実行されたかを識別する。
【００６２】
図８に示されるように、ステップ１において、ＭＮ８１０は、ＭＤＴ測定構成をＳＮ８２０に送信する。ＭＮ８１０は、ＭＤＴ測定をトリガする。第１の実施形態との相違点は、ＭＮ８１０がＭＤＴ測定を３つの部分に分解できることであり、これら３つの部分は、ＭＮネットワーク要素測定部分と、ＳＮネットワーク要素測定部分と、端末測定部分とを含む。ＭＮ８１０は、ブランチベアラ下のプライマリノードＲＬＣベアラを測定する。ＳＮ８２０は、ブランチベアラ下のセカンダリノードＲＬＣベアラを測定し、端末は、位置情報を測定する。第１の実施形態のステップ１との相違点は、ＭＮ８１０がＳＮネットワーク要素測定部分のＭＤＴ測定構成パラメータをＳＮネットワーク要素に送信することである。ＭＤＴ測定構成パラメータは、上記のさまざまなパラメータを含む。これらのパラメータは、組み合わせられた形態でＳＮネットワーク要素に合わせて構成されてもよい。端末測定部分も端末に合わせてＳＮ８２０によって構成されてもよい。
【００６３】
ステップ２において、ＳＮ８２０は、ＭＤＴ測定の実行に関するフィードバックメッセージをＭＮ基地局に送信する。ＳＮは、ＭＮによって構成されたＭＤＴ測定を実行して、フィードバックメッセージをＭＮ基地局に送信する。ステップ３において、ＭＮ８１０およびＳＮ８２０および端末は、それぞれ測定を実行する。ＭＮ８１０は、ＭＮネットワーク要素測定部分を担当し、ＭＮ８１０は、ＭＮネットワーク要素測定部分および／または端末測定部分の測定結果を収集することを担当する。ＳＮ８２０は、ＳＮネットワーク要素測定部分を担当し、ＳＮ８２０は、ＳＮネットワーク要素測定部分および／または端末測定部分の測定結果を収集することを担当する。ステップ４において、測定が完了した後、ＭＮ８１０およびＳＮ８２０はそれぞれ、測定結果をＴＣＥデバイスに報告する。さまざまなデバイスからの測定報告が同一のＭＤＴ測定に属しているか否かをＴＣＥデバイスが認識するために、ＭＮおよびＳＮは、結果を報告する際に何らかの補助情報を伝えてもよい。ＴＣＥは、この補助情報に従って、ＭＮおよびＳＮによってそれぞれ報告された測定結果を関連付けることができる。このような補助情報は、端末の情報、測定時間、測定回数などを含む。
【００６４】
第３の実施形態では、測定が完了した後、ＳＮは、測定結果をＭＮに報告し、ＭＮは、測定結果をまとめてまたは集合体としてＴＣＥデバイスに報告する。測定結果は、Ｘｎ、Ｘ２インターフェイスなどの標準化された基地局間インターフェイスまたは基地局間ＩＰ接続を使用してもよい。
【００６５】
たとえば複数のネットワーク要素がそれぞれ同一のＵＥにおいて同一タイプの測定を実行する場合に、マルチコネクティビティアーキテクチャ下ではＭＤＴコンフリクトがある場合がある。たとえば、ＭＮネットワーク要素は、特定の端末のためにシグナリングベースのＭＤＴ測定をトリガし、同時に、ＳＮ基地局のネットワーク管理は、同一の端末のために管理ベースのＭＤＴ測定をトリガする。したがって、ＭＮおよびＳＮは、同一の端末の同一の測定を選択する。これは、基地局間の交渉を通じて解決することができる。たとえば、端末の特定のサービスがＭＮによって測定されている場合、ＳＮもこの端末の同一のサービスを測定することを選択する。このとき、ＭＮは、コンフリクトを解決することを担当する。ＳＮは、測定を実行する前に、ＳＮ側で確立された測定構成（ＴＣＥ、ＰＬＭＮ、測定対象などを含む）をＭＮに送信する。ＭＮがいかなるコンフリクトも発見しない場合、ＳＮは、確認フィードバックが返された後に測定を開始させる。ＭＮがコンフリクトを発見すると、測定コンフリクト表示がフィードバックメッセージに載せられてもよい。測定コンフリクト表示の受信後は、ＳＮは測定を継続しない。
【００６６】
ＭＮまたはＳＮによってトリガされるＭＤＴは、シグナリングベースのＭＤＴ測定であってもよく、管理ベースのＭＤＴ測定であってもよい。これは、３ＧＰＰ  ＴＳ  ３７．３２０プロトコルにおいて参照される２つの測定トリガモードと類似し得る。シグナリングベースのＭＤＴ測定は、コアネットワークのネットワーク管理によって送信された測定構成メッセージをＭＮ基地局が受信することを意味する。測定構成メッセージは、特定の端末のためのＭＤＴ測定を明確に示し、測定パラメータは、コアネットワークによって構成されてもよい。基地局は、コアネットワークの構成に従ってＭＤＴを実行する。管理ベースのＭＤＴ測定は、ＭＮネットワーク要素またはＳＮネットワーク要素のネットワーク管理がＭＤＴ測定のために好適な端末を選択するようにアクセスネットワーク要素に要求することを意味する。ＭＮまたはＳＮは、１つ以上の端末を選択し、ネットワーク管理の要件に従ってＭＤＴ測定を実行する。
【００６７】
ＭＮおよびＳＮがＭＤＴ測定構成情報を送信する際のメッセージは、３ＧＰＰ  ＴＳ  ３８．４２３プロトコルまたはＴＳ  ３６．４２３プロトコルを参照して、ＸＮまたはＸ２インターフェイスなどの基地局間コントロールプレーンインターフェイスを使用してもよい。メッセージは、既存の基地局間インターフェイスメッセージを再使用してもよく、または新たな基地局間インターフェイスメッセージを使用してもよい。インターフェイスメッセージの再使用は、SGNB ADDITION REQUEST、SGNB MODIFICATION REQUIREDおよび他のメッセージであってもよい。再使用方法は、新たなフィールドの追加を含む。ＭＮおよびＳＮによって送信される測定報告は、ＸｎまたはＸ２などの基地局間コントロールプレーンインターフェイスを使用してもよく、またはデータプレーンインターフェイスを使用してもよい。たとえば、測定報告は、ＩＰデータリンクを介して送信されてもよい。
【００６８】
図９は、本開示の第４の実施形態に係る、ＭＮとＳＮとの間のコンフリクトを回避するための、マルチコネクティビティアーキテクチャ下でＭＤＴを構成するための例示的な方法を示す図である。ＭＮおよびＳＮは、測定を同時にトリガし、測定コンフリクトを生じさせる。ＭＮおよびＳＮネットワーク要素は、独立して自ら決断をし、同一の端末の同一の測定対象が選択される。測定を実行する前に、ＳＮは、ＭＤＴ構成をＭＮネットワーク要素に送信する。このとき、ＭＮは、同一の端末の同一の測定対象を測定し始める。ＭＮネットワーク要素は、フィードバックメッセージにおけるコンフリクトを示し、ＳＮは、測定の実行を停止させる。
【００６９】
図９に示されるように、ステップ１において、ＭＮ９１０は、第１のＭＤＴ測定を端末上でトリガした。また、ステップ１において、ＳＮ９２０は、第２のＭＤＴ測定を当該端末上でトリガしたい。ステップ２において、ＳＮ９２０は、第２のＭＤＴのＭＤＴ構成をＭＮ９１０に送信する。この実施形態では、ＳＮネットワーク要素は、特定の端末のためにＭＤＴ測定を判断する。しかし、ＭＤＴ測定は、ＭＮネットワーク要素において実行されている。ＭＤＴ測定をトリガする前に、ＳＮは、ＭＤＴ構成をＭＮネットワーク要素に送信して、コンフリクトがないことを確認する。ステップ３において、ＭＮ９１０は、フィードバックメッセージをＳＮ９２０に送信する。このフィードバックメッセージは、測定コンフリクト表示を保持する。ステップ４において、ＳＮ９２０は、コンフリクト表示を受信した後に第２のＭＤＴ測定を停止させる。
【００７０】
第５の実施形態では、ＭＮおよびＳＮは、ＭＤＴ測定を同時にトリガし、測定コンフリクトを生じさせる。ＭＮおよびＳＮネットワーク要素は、独立して自ら決断をし、同一の端末の同一の測定対象が選択される。測定を実行する前に、ＭＮは、ＭＤＴ構成をＳＮネットワーク要素に送信する。このとき、ＳＮネットワーク要素は、同一の端末の同一の測定対象を測定し始めている。ＳＮネットワーク要素は、フィードバックメッセージにおけるコンフリクトを示し、ＭＮネットワーク要素は、測定の実行を停止させる。第４の実施形態とは異なって、この実施形態では、ＭＮがＭＤＴ測定を停止させる。
【００７１】
図１０は、本開示の第６の実施形態に係る、ＭＮとＳＮとの間のコンフリクトを回避するための、マルチコネクティビティアーキテクチャ下でＭＤＴを構成するための別の例示的な方法を示す。ＭＮおよびＳＮは、測定を同時にトリガし、測定コンフリクトを生じさせる。ＭＮおよびＳＮネットワーク要素は、独立して自ら決断をし、同一の端末の同一の測定対象が選択される。最終的に、ＭＮによってトリガされたＭＤＴ測定が実行される。測定を実行する前に、ＭＮは、ＭＤＴ構成をＳＮネットワーク要素に送信する。フィードバックメッセージを受信する前に、ＭＮは、同一の端末の同一の測定対象に対する測定要求をＳＮから受信する。ＭＮは、コンフリクト表示を返して、測定を実行し続ける。ＳＮは、測定を終了させる。
【００７２】
図１０に示されるように、ステップ１において、第１のＭＤＴ測定を端末上で実行する前に、ＭＮ１０１０は、第１のＭＤＴのＭＤＴ測定構成をＳＮ１０２０に送信する。ステップ２において、ＳＮ１０２０は、第２のＭＤＴを同一の端末上でトリガしたい。したがって、ステップ２の中で、ＭＮ１０１０は、フィードバックメッセージを受信する前に、ＳＮ１０２０によって送信された第２のＭＤＴのＭＤＴ測定構成メッセージを受信する。ステップ１およびステップ２の順序は交換可能であり、またはステップ１およびステップ２は同時に行われてもよい、ということを理解することができる。
【００７３】
ＳＮ１０２０からの構成メッセージを通じて、ＭＮ１０１０は、ＳＮ１０２０が測定したいと思っているＭＤＴ測定がＭＮ１０１０上で実行されていることを知ることができる。ステップ３において、ＭＮ１０１０は、フィードバックメッセージをＳＮ１０２０に送信する。このフィードバックメッセージは、測定コンフリクト表示を保持する。フィードバックメッセージを受信した後、ＳＮ１０２０は、その所望の第２のＭＤＴ測定もＭＮ１０１０上で実行される予定であることを知る。したがって、ステップ４において、ＳＮ１０２０は、所望の第２のＭＤＴ測定を終了させる。また、ステップ４において、ＭＮ１０１０は、ＳＮ１０２０によって返されたフィードバックメッセージを受信する。ステップ５において、ＭＮ１０１０は、第１のＭＤＴ測定を実行する。代替的な実施形態では、ステップ１において構成メッセージを送信した後、ＭＮ１０１０は、第１のＭＤＴ測定を直接開始させることもできる。別の実施形態では、ＳＮによってトリガされたＭＤＴ測定は、ＭＮとＳＮとの間にＭＤＴコンフリクトがある場合には、最後に実行される。
【００７４】
図１１は、本開示の第７の実施形態に係る、ＭＮとＳＮとの間のコンフリクトを回避するための、マルチコネクティビティアーキテクチャ下でＭＤＴを構成するためのさらに別の例示的な方法を示す図である。ＭＮおよびＳＮは、測定を同時にトリガし、測定コンフリクトを生じさせる。ＭＮおよびＳＮネットワーク要素は、独立して自ら決断をし、同一の端末の同一の測定対象が選択される。最終的に、ＭＮによってトリガされたＭＤＴ測定が実行される。ＳＮは、測定が実行される前に、ＭＤＴ構成をＭＮに送信する。フィードバックメッセージを受信する前に、ＳＮは、同一の端末の同一の測定対象に対する測定要求をＭＮから受信する。ＳＮは、コンフリクト表示を返して、測定を終了させる。
【００７５】
図１１に示されるように、ステップ１において、ＳＮ１１２０は、第１のＭＤＴ測定を端末上で実行する前に、第１のＭＤＴに関するＭＤＴ測定構成をＭＮ１１１０に送信する。ステップ２において、ＳＮ１１２０は、フィードバックメッセージを受信する前に、ＭＮ１１１０によって送信された端末上の第２のＭＤＴに関するＭＤＴ測定構成メッセージを受信する。ステップ１およびステップ２の順序は交換可能であり、またはステップ１およびステップ２は同時に行われてもよい、ということを理解することができる。
【００７６】
フィードバックメッセージに基づいて、ＳＮ１１２０は、ＳＮ１１２０が測定したいと思っているＭＤＴ測定とＭＮ１１１０が測定したいと思っているＭＤＴ測定との間にコンフリクトがあることを知ることができる。ステップ３において、ＳＮ１１２０は、その所望のＭＤＴ測定を終了させる。また、ステップ３において、ＳＮ１１２０は、フィードバックメッセージをＭＮ１１１０に送信する。このフィードバックメッセージは、測定コンフリクト表示を保持している場合もあれば、保持していない場合もある。その理由は、フィードバックメッセージを受信した後に、ＳＮ１１２０は、その所望のＭＤＴ測定もＭＮ１１１０上で実行される予定であることを知るからである。したがって、ＳＮ１１１０は、その所望のＭＤＴ測定を終了させる。しかし、このことは、ＭＮ１１１０が知らなくてもよい。ステップ４において、ＭＮ１１１０は、ステップ１においてＳＮ１１２０によって送信された構成メッセージに関するフィードバックメッセージをＳＮ１１２０に送信する。ステップ５において、ＭＮ１１１０は、第２のＭＤＴ測定を実行する。別の実施形態では、ＳＮによってトリガされたＭＤＴ測定は、ＭＮとＳＮとの間にＭＤＴコンフリクトがある場合には、最後に実行される。
【００７７】
本開示のさまざまな実施形態について上記してきたが、それらは限定としてではなく単に一例として提示されているということを理解すべきである。同様に、さまざまな図は、アーキテクチャまたは構成の例を示しており、当業者が本開示の例示的な特徴および機能を理解することができるように提供されている。しかし、本開示は示されているアーキテクチャまたは構成の例に限定されるものではなく、さまざまな代替的なアーキテクチャおよび構成を使用しても実現できる、ということを当業者は理解するであろう。また、当業者によって理解されるように、一実施形態の１つ以上の特徴は、本明細書に記載されている別の実施形態の１つ以上の特徴と組み合わせることができる。したがって、本開示の広さおよび範囲は、上記の例示的な実施形態のいずれによっても限定されるべきではない。
【００７８】
また、「第１の」、「第２の」などの名称を使用した本明細書中の要素への言及はいずれも、概してそれらの要素の量または順序を限定するものではないということも理解される。むしろ、これらの名称は、２つ以上の要素または要素のインスタンスを区別するための便利な手段として本明細書で使用することができる。したがって、第１および第２の要素への言及は、要素を２つだけ利用できることを意味するものではなく、または何らかの態様で第１の要素が第２の要素に先行しなければならないことを意味するものでもない。
【００７９】
また、情報および信号は、さまざまな異なる技術および手法のうちのいずれかを使用して表現できる、ということを当業者は理解するであろう。たとえば、上記の説明の中で言及され得るデータ、命令、コマンド、情報、信号、ビットおよび記号はたとえば、電圧、電流、電磁波、磁場もしくは磁性粒子、光学場もしくは光学粒子、またはそれらの任意の組み合わせによって表現することができる。
【００８０】
本明細書に開示されている局面に関連して記載されるさまざまな例示的な論理ブロック、モジュール、プロセッサ、手段、回路、方法および機能はいずれも、電子ハードウェア（たとえば、デジタル実現、アナログ実現、またはそれら２つの組み合わせ）、ファームウェア、命令（本明細書では、便宜上、「ソフトウェア」または「ソフトウェアモジュール」と称され得る）を組み込んださまざまな形態のプログラムもしくは設計コード、またはこれらの手法の任意の組み合わせによって実現可能である、ということを当業者はさらに理解するであろう。
【００８１】
ハードウェア、ファームウェアおよびソフトウェアのこの互換性を明らかに示すために、さまざまな例示的なコンポーネント、ブロック、モジュール、回路およびステップを、概してそれらの機能の観点から上記した。このような機能がハードウェアとして実現されるか、ファームウェアとして実現されるか、ソフトウェアとして実現されるか、これらの手法の組み合わせとして実現されるかは、特定の用途およびシステム全体に課される設計制約に左右される。当業者は、記載されている機能を各々の特定の用途のためにさまざまな形で実現することができるが、このような実現の決定は、本開示の範囲からの逸脱を生じさせるものではない。さまざまな実施形態に従って、プロセッサ、デバイス、コンポーネント、回路、構造、マシン、モジュールなどは、本明細書に記載されている機能のうちの１つ以上を実行するように構成可能である。特定の動作または機能に対する本明細書中の「ように構成される」または「ために構成される」という表現は、その特定の動作または機能を実行するように物理的に構築、プログラムおよび／または配置されたプロセッサ、デバイス、コンポーネント、回路、構造、マシン、モジュールなどを指す。
【００８２】
さらに、本明細書に記載されているさまざまな例示的な論理ブロック、モジュール、デバイス、コンポーネントおよび回路は、集積回路（ＩＣ）内で実現可能であるか、または集積回路（ＩＣ）によって実行可能であり、この集積回路（ＩＣ）は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブルロジックデバイス、またはそれらの任意の組み合わせを含み得る、ということを当業者は理解するであろう。論理ブロック、モジュールおよび回路は、ネットワーク内またはデバイス内のさまざまなコンポーネントと通信するためにアンテナおよび／または送受信機をさらに含み得る。汎用プロセッサは、マイクロプロセッサであってもよいが、代替的には、プロセッサは、任意の従来のプロセッサ、コントローラまたはステートマシンであってもよい。プロセッサは、コンピューティングデバイスの組み合わせ、たとえばＤＳＰとマイクロプロセッサとの組み合わせ、複数のマイクロプロセッサ、ＤＳＰコアと併用した１つ以上のマイクロプロセッサ、または本明細書に記載されている機能を実行するためのその他の好適な構成として実現することも可能である。
【００８３】
ソフトウェアで実現される場合、機能は、コンピュータ読取可能媒体上に１つ以上の命令またはコードとして格納され得る。したがって、本明細書に開示されている方法またはアルゴリズムのステップは、コンピュータ読取可能媒体上に格納されたソフトウェアとして実現可能である。コンピュータ読取可能媒体は、コンピュータ記憶媒体も、コンピュータプログラムまたはコードを１つの場所から別の場所に転送することを可能にし得る任意の媒体を含む通信媒体も含む。記憶媒体は、コンピュータによってアクセス可能な任意の入手可能な媒体であってもよい。限定としてではなく一例として、このようなコンピュータ読取可能媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶装置、または所望のプログラムコードを命令またはデータ構造の形式で格納するために使用可能であって、コンピュータによってアクセス可能であるその他の媒体を含み得る。
【００８４】
本文献では、本明細書における「モジュール」という語は、本明細書に記載されている関連の機能を実行するためのソフトウェア、ファームウェア、ハードウェア、およびこれらの要素の任意の組み合わせを指す。また、説明の目的で、さまざまなモジュールは、別個のモジュールとして記載されているが、当業者にとって明らかであるように、２つ以上のモジュールを組み合わせて、本開示の実施形態に係る関連の機能を実行する単一のモジュールを構成してもよい。
【００８５】
また、メモリまたは他のストレージおよび通信コンポーネントが本開示の実施形態において利用されてもよい。明確にする目的で、上記の説明では、さまざまな機能ユニットおよびプロセッサを参照しながら本開示の実施形態を説明してきた、ということが理解されるであろう。しかし、さまざまな機能ユニット、処理ロジック要素またはドメイン間での機能の任意の好適な分散が本開示から逸脱することなく使用されてもよいということは明らかであろう。たとえば、別々の処理ロジック要素またはコントローラによって実行されるように示されている機能は、同一の処理ロジック要素またはコントローラによって実行されてもよい。したがって、特定の機能ユニットへの言及は、厳密な論理的または物理的構造または組織を示すのではなく、記載されている機能を提供するための好適な手段への言及に過ぎない。
【００８６】
本開示に記載されている実現例に対するさまざまな変更は、当業者に容易に明らかであり、本明細書に定義されている一般的原理は、本開示の範囲から逸脱することなく他の実現例にも当てはめることができる。したがって、本開示は、本明細書に示されている実現例に限定されるよう意図されるものではなく、以下の特許請求の範囲に記載されているような、本明細書に開示されている新規の特徴および原理と一貫性がある最も広い範囲を与えられるよう意図される。
【図１】
2021519010.tif 000003
【図２】
2021519010.tif 000004
【図３】
2021519010.tif 000005
【図４】
2021519010.tif 000006
【図５】
2021519010.tif 000007
【図６】
2021519010.tif 000008
【図７】
2021519010.tif 000009
【図８】
2021519010.tif 000010
【図９】
2021519010.tif 000011
【図１０】
2021519010.tif 000012
【図１１】
2021519010.tif 000013
【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
第１のワイヤレス通信ノードによって実行される方法であって、
ドライブテストの最小化測定であるＭＤＴ測定についての構成情報を第２のワイヤレス通信ノードに送信するステップを備え、前記第１のワイヤレス通信ノードも前記第２のワイヤレス通信ノードも、ワイヤレスネットワーク内のノードであり、前記方法はさらに、
前記ＭＤＴ測定についての前記構成情報に応答してフィードバックを前記第２のワイヤレス通信ノードから受信するステップを備える、方法。
【請求項２】
前記フィードバックは、前記ＭＤＴ測定についての前記構成情報の確認を備え、
前記方法はさらに、前記ワイヤレスネットワーク内のワイヤレス通信デバイスを介して前記構成情報に基づいて前記ＭＤＴ測定を実行するステップを備える、請求項１に記載の方法。
【請求項３】
前記ＭＤＴ測定は、前記ワイヤレスネットワーク内のワイヤレス通信デバイスによって実行され、
前記フィードバックは、前記第２のワイヤレス通信ノードが、前記ＭＤＴ測定と同一の既存のＭＤＴ測定を前記ワイヤレス通信デバイス上でトリガしたことを示すコンフリクト表示を備え、
前記方法はさらに、前記第１のワイヤレス通信ノードにおいて前記ＭＤＴ測定を停止させるステップを備える、請求項１に記載の方法。
【請求項４】
前記ＭＤＴ測定は、前記第１のワイヤレス通信ノードによって実行される第１の部分と、前記第２のワイヤレス通信ノードによって実行される第２の部分と、前記ワイヤレスネットワーク内のワイヤレス通信デバイスによって実行される第３の部分とを備え、
前記第２のワイヤレス通信ノードは、好ましくは、前記ＭＤＴ測定の前記第２の部分を実行して、第２の測定結果を生成し、
前記方法はさらに、
前記ＭＤＴ測定の前記第１の部分を実行して、第１の測定結果を生成するステップと、
前記第１の測定結果を前記ワイヤレスネットワークのトレース収集エンティティに報告するステップと、
さらに好ましくは、前記第２の測定結果を前記第２のワイヤレス通信ノードから受信するステップと、
さらに好ましくは、前記第２の測定結果を前記ワイヤレスネットワークのトレース収集エンティティに報告するステップとを備える、請求項１に記載の方法。
【請求項５】
前記ワイヤレスネットワーク内のワイヤレス通信デバイス上で実行される第２のＭＤＴ測定についての第２の構成情報を前記第２のワイヤレス通信ノードから受信するステップをさらに備え、前記ＭＤＴ測定は、前記第２のＭＤＴ測定と同一であり、前記ワイヤレス通信デバイス上で実行され、前記第２の構成情報に応答してコンフリクト表示を前記第２のワイヤレス通信ノードに送信するステップをさらに備え、前記コンフリクト表示は、前記第２のワイヤレス通信ノードにおいて前記第２のＭＤＴ測定を停止させるための前記ＭＤＴ測定と前記第２のＭＤＴ測定との間のコンフリクトを示し、または、
前記ワイヤレスネットワーク内のワイヤレス通信デバイス上で実行される第２のＭＤＴ測定についての第２の構成情報を前記第２のワイヤレス通信ノードから受信するステップをさらに備え、前記ＭＤＴ測定は、前記第２のＭＤＴ測定と同一であり、前記ワイヤレス通信デバイス上で実行され、前記第１のワイヤレス通信ノードにおいて前記ＭＤＴ測定を停止させるステップと、前記第２の構成情報に応答して第２のフィードバックを前記第２のワイヤレス通信ノードに送信するステップとをさらに備え、前記第２のフィードバックは、前記第２のＭＤＴ測定を継続するように前記第２のワイヤレス通信ノードに指示するための前記第２のＭＤＴ測定についての前記第２の構成情報の確認を備える、請求項１に記載の方法。
【請求項６】
第１のワイヤレス通信ノードによって実行される方法であって、
ドライブテストの最小化測定であるＭＤＴ測定に対する要求を第２のワイヤレス通信ノードに送信するステップを備え、前記第１のワイヤレス通信ノードも前記第２のワイヤレス通信ノードも、ワイヤレスネットワーク内のノードであり、前記方法はさらに、
前記ＭＤＴ測定についての構成メッセージを前記第２のワイヤレス通信ノードから受信するステップと、
前記構成メッセージに応答してフィードバックを前記第２のワイヤレス通信ノードに送信するステップとを備える、方法。
【請求項７】
前記要求は、前記ＭＤＴ測定についての第１の構成情報を備え、
前記構成メッセージは、前記ＭＤＴ測定についての第２の構成情報を備え、
前記第２の構成情報は、好ましくは、前記第１の構成情報と同一であり、前記フィードバックは、好ましくは、前記ＭＤＴ測定が前記第１の構成情報に基づいて実行されることの確認を備え、または、
前記第２の構成情報は、前記第１の構成情報とは異なっており、前記フィードバックは、前記ＭＤＴ測定が前記第２の構成情報に基づいて実行されることの確認を備える、請求項６に記載の方法。
【請求項８】
第１のワイヤレス通信ノードによって実行される方法であって、
ドライブテストの最小化測定であるＭＤＴ測定についての構成情報を第２のワイヤレス通信ノードから受信するステップを備え、前記第１のワイヤレス通信ノードも前記第２のワイヤレス通信ノードも、ワイヤレスネットワーク内のノードであり、前記方法はさらに、
前記ＭＤＴ測定についての前記構成情報に応答してフィードバックを前記第２のワイヤレス通信ノードに送信するステップを備える、方法。
【請求項９】
前記フィードバックは、前記ＭＤＴ測定についての前記構成情報の確認を備え、前記第２のワイヤレス通信ノードは、前記ワイヤレスネットワーク内のワイヤレス通信デバイスを介して前記構成情報に基づいて前記ＭＤＴ測定を実行し、または、
前記ＭＤＴ測定は、好ましくは、前記ワイヤレスネットワーク内のワイヤレス通信デバイスによって実行され、
前記フィードバックは、好ましくは、前記第１のワイヤレス通信ノードが、前記ＭＤＴ測定と同一の既存のＭＤＴ測定を前記ワイヤレス通信デバイス上でトリガしたことを示すコンフリクト表示を備え、
前記第２のワイヤレス通信ノードは、好ましくは、前記フィードバックに応答して前記ＭＤＴ測定を停止させる、請求項８に記載の方法。
【請求項１０】
前記ＭＤＴ測定は、前記第１のワイヤレス通信ノードによって実行される第１の部分と、前記第２のワイヤレス通信ノードによって実行される第２の部分と、前記ワイヤレスネットワーク内のワイヤレス通信デバイスによって実行される第３の部分とを備え、
前記第２のワイヤレス通信ノードは、好ましくは、前記ＭＤＴ測定の前記第２の部分を実行して、第２の測定結果を生成し、
前記方法はさらに、
前記ＭＤＴ測定の前記第１の部分を実行して、第１の測定結果を生成するステップと、
前記第１の測定結果を前記ワイヤレスネットワークのトレース収集エンティティに報告するステップと、
好ましくは、前記第２の測定結果を前記第２のワイヤレス通信ノードから受信するステップと、
好ましくは、前記第２の測定結果を前記ワイヤレスネットワークのトレース収集エンティティに報告するステップとを備える、請求項８に記載の方法。
【請求項１１】
前記ワイヤレスネットワーク内のワイヤレス通信デバイス上で実行される第２のＭＤＴ測定についての第２の構成情報を前記第２のワイヤレス通信ノードに送信するステップをさらに備え、前記ＭＤＴ測定は、前記第２のＭＤＴ測定と同一であり、前記ワイヤレス通信デバイス上で実行され、前記第２の構成情報に応答してコンフリクト表示を前記第２のワイヤレス通信ノードから受信するステップをさらに備え、前記コンフリクト表示は、前記ＭＤＴ測定と前記第２のＭＤＴ測定との間のコンフリクトを示し、前記コンフリクト表示に応答して前記第２のＭＤＴ測定を停止させるステップをさらに備え、または、
前記ワイヤレスネットワーク内のワイヤレス通信デバイス上で実行される第２のＭＤＴ測定についての第２の構成情報を前記第２のワイヤレス通信ノードに送信するステップをさらに備え、前記ＭＤＴ測定は、前記第２のＭＤＴ測定と同一であり、前記ワイヤレス通信デバイス上で実行され、前記第２の構成情報に応答して第２のフィードバックを前記第２のワイヤレス通信ノードから受信するステップをさらに備え、前記第２のフィードバックは、前記第２のＭＤＴ測定についての前記第２の構成情報の確認を備え、前記第２の構成情報に基づいて前記第２のＭＤＴ測定を前記ワイヤレス通信デバイスを介して実行するステップをさらに備える、請求項８に記載の方法。
【請求項１２】
前記ＭＤＴ測定についての前記構成情報は、前記ＭＤＴ測定の測定対象、前記ＭＤＴ測定の測定値、位置測定態様、前記ＭＤＴ測定のリンク方向、位置測定プロバイダ、トレース収集エンティティデバイス情報、オペレータ情報、１つ以上のＭＤＴ測定収集位置、前記ＭＤＴ測定結果を報告する１つ以上のネットワーク要素、前記ＭＤＴ測定の測定タイプ、前記ＭＤＴ測定をトリガする基地局情報、および前記ＭＤＴ測定をトリガする前記基地局のネットワーク管理情報、のうちの少なくとも１つに関連する情報を備える、請求項１または８に記載の方法。
【請求項１３】
第１のワイヤレス通信ノードによって実行される方法であって、
ドライブテストの最小化測定であるＭＤＴ測定に対する要求を第２のワイヤレス通信ノードから受信するステップを備え、前記第１のワイヤレス通信ノードも前記第２のワイヤレス通信ノードも、ワイヤレスネットワーク内のノードであり、前記方法はさらに、
前記ＭＤＴ測定についての構成メッセージを前記第２のワイヤレス通信ノードに送信するステップと、
前記構成メッセージに応答してフィードバックを前記第２のワイヤレス通信ノードから受信するステップとを備える、方法。
【請求項１４】
前記要求は、前記ＭＤＴ測定についての第１の構成情報を備え、
前記構成メッセージは、前記ＭＤＴ測定についての第２の構成情報を備え、
前記第２の構成情報は、好ましくは、前記第１の構成情報と同一であり、前記フィードバックは、前記ＭＤＴ測定が前記第１の構成情報に基づいて実行されることの確認を備え、または、
前記第２の構成情報は、好ましくは、前記第１の構成情報とは異なっており、前記フィードバックは、前記ＭＤＴ測定が前記第２の構成情報に基づいて実行されることの確認を備える、請求項１３に記載の方法。
【請求項１５】
請求項１から１４のいずれか１項に記載の方法を実行するように構成されたワイヤレス通信ノード。
【国際調査報告】
2021519010.tif 000014
2021519010.tif 000015